(57)【特許請求の範囲】
【請求項１】
カメラ本体に備えられ、画像を表示する表示手段と、
撮影された複数の画像から上記表示手段に表示する画像を選択する画像選択手段と、
上記選択された画像上に、その画像に関連した複数の画像情報を重ねて上記表示手段に表示させる表示処理手段と、
上記表示手段に表示された画像に関連した画像情報の１つとして当該画像のヒストグラムを表示させる状態と、ヒストグラムを表示させない状態とを切換変更する表示変更手段と、
上記表示変更手段で画像のヒストグラムが表示されている場合に、一方向の操作入力に連動して上記複数の画像をインデックス表示し、上記一方向とは異なる他方向の操作入力に連動して、表示されていた画像のヒストグラムを再び表示する操作入力手段と
を備えたことを特徴とするデジタルカメラ。
【請求項２】
上記表示手段に表示された画像に関連した複数の画像情報にそれぞれ複数階層のいずれかを設定することで、階層に応じて表示する画像情報の数を段階的に可変設定する可変設定手段をさらに備え、
上記表示変更手段は、上記複数階層中で表示する画像情報の数が最も少ない階層の表示中に、ヒストグラムを表示させる状態と表示させない状態とで切換変更する
ことを特徴とする請求項１記載のデジタルカメラ。
【請求項３】
上記操作入力手段の操作方向に連動して、上記表示手段に表示された画像を拡大表示あるいは縮小表示することを特徴とする請求項１記載のデジタルカメラ。
【請求項４】
上記拡大表示あるいは縮小表示は、上記表示された画像の中心位置を基準として拡大率を変更することを特徴とする請求項３記載のデジタルカメラ。
【発明の詳細な説明】
【０００１】
【発明の属する技術分野】
本発明は、各種画像情報を対応する画像上に併せてモニタ表示するデジタルカメラに関する。
【０００２】
【従来の技術】
近年、パーソナルコンピュータが普及するに連れて、画像データを気軽に撮影して取得することが可能なデジタルカメラも広く一般に普及するようになってきた。
【０００３】
この種のデジタルカメラでは、撮像素子として多くの機種で使用されているＣＣＤ（Ｃｈａｒｇｅ  Ｃｏｕｐｌｅｄ  Ｄｅｖｉｃｅ：電荷結合素子）の特性から、撮影時には銀塩フィルムを用いるカメラ（以下「銀塩カメラ」と略称する）に比してラチチュード（ダイナミックレンジ）が狭いため、特に露出を正確に制御する必要がある。
【０００４】
しかして、デジタルカメラの特性を活かした、適正な露出を得るための一方法として、撮像した画像を構成する画素毎の輝度情報を用いて演算処理を施し、ヒストグラムを得てこれをモニタ表示している液晶ファインダに表示させた上で、適正な露出を得るべく調整を行なうことが考えられている。
なお、画像情報からヒストグラムを作成して表示する技術自体については、例えば特開平７−３８８０１号公報、特開平８−１３８０２５号公報、特開平８−１８９９０１号公報、特開平８−２８５５２６号公報、特開平１１−６９３７２号公報、特開平１１−８８９０６号公報、特開平１１−１５４２３５号公報、特開２０００−６９４８８号公報、及び特開２０００−１８２０４５号公報等の多数の公報などにより公知であるものとして、その技術内容についての説明は省略する。
【０００５】
【発明が解決しようとする課題】
しかしながら、ヒストグラムは数値を単体で表示するようなものではなく、それ自体で表示に必要な容量が非常に大きなものとなってしまう。
【０００６】
したがって、画像そのものと、その時点でのカメラの状態や対応する画像に関する他の情報、例えば記憶媒体であるメモリカードの状態、電源となる電池の消耗状態、露出やホワイトバランスの設定状態、感度情報、ストロボの使用状況、ファイル名とファイルの識別子等を併せてヒストグラムと並列して表示するものとすると、画面上が大変繁雑なものとなってしまい、ヒストグラムのみならず、画像や個々の情報の識別が困難となってしまうという不具合があった。
【０００７】
本発明は上記のような実情に鑑みてなされたもので、その目的とするところは、ある程度の表示容量が必要なヒストグラムを使用者の希望に応じて見やすい状態で表示させることが可能なデジタルカメラを提供することにある。
【０００８】
【課題を解決するための手段】
請求項１記載の発明は、カメラ本体に備えられ、画像を表示する表示手段と、撮影された複数の画像から上記表示手段に表示する画像を選択する画像選択手段と、上記選択された画像上に、その画像に関連した複数の画像情報を重ねて上記表示手段に表示させる表示処理手段と、上記表示手段に表示された画像に関連した画像情報の１つとして当該画像のヒストグラムを表示させる状態と、ヒストグラムを表示させない状態とを切換変更する表示変更手段と、上記表示変更手段で画像のヒストグラムが表示されている場合に、一方向の操作入力に連動して上記複数の画像をインデックス表示し、上記一方向とは異なる他方向の操作入力に連動して、表示されていた画像のヒストグラムを再び表示する操作入力手段とを備えたことを特徴とする。
【０００９】
このような構成とすれば、使用者が必要に応じてヒストグラムを任意に表示させるか否か変更することができる。
【００１２】
【発明の実施の形態】
以下本発明の実施の一形態に係る一眼レフ方式のデジタルスチルカメラについて図面を参照して説明する。
【００１３】
図１、図２はその外観構成を示すもので、図１（１）が上面図、図１（２）が左側面図、図２（１）が背面図、図２（２）が正面図である。
【００１４】
これらの図中、カメラ本体１の前面にズームレンズ２が配され、ズームレンズ２の鏡筒周面の前側にフォーカスリング１１が、後側にズーム鏡筒リング１２が設けられる。
【００１５】
また、カメラ本体１の上面前側のズームレンズ２軸上部に内蔵フラッシュ１３がここでは伏せた状態で取付けられ、左側面の近傍に設けられた内蔵フラッシュポップアップボタン１４の手動操作でポップアップして、点灯可能となる。
【００１６】
このカメラ本体１の左側面には、他に「＋／−」ボタン１５、マクロ撮影を行なうためのマクロボタン１６、ここでは図示しない有線リモコンを接続するための有線リモコンジャック１７、外部ストロボ搭載時に使用するシンクロソケット（Ｘ接点）１８、マニュアルフォーカスモード（ＭＦ）とオートフォーカスモード（Ｓ）とを切換操作するためのフォーカスモード切換レバー１９、ここでは図示しないＡＣアダプタを接続するためのジャックを内在したＡＣアダプタキャップ２０、ここでは図示しないパーソナルコンピュータやプリンタと接続するための各種端子を内在した端子カバー２１、ストラップを取付けるためのストラップ吊環２２、後述する液晶モニタの可動角度のロックを解除する液晶モニタロック解除ボタン２３、セルフタイマモードなどドライブモードを切換えるドライブボタン２４、及び露出の測光パターンを切換えるための測光ボタン２５が設けられる。
【００１７】
さらに、カメラ本体１の上面には、上記内蔵フラッシュ１３の後ろ側に設けられた外部ストロボ搭載のためのホットシュー２６の他に、モノクロ液晶パネルによるカメラの動作状態等を表示するガイドパネル２７、撮像した画像を記憶するメモリカードとしてスマートメディア（登録商標）／コンパクトフラッシュ（登録商標）を切換え選択するためのＳＭ／ＣＦボタン２８、後述する液晶モニタのバックライトの点灯／消灯を操作するバックライトボタン２９、撮影条件の各種モードを回転操作により設定するモード選択ダイヤル３０、このモード選択ダイヤル３０下部に同軸的に配置した電源レバー３１、ストラップを取付けるためのストラップ吊環３２、ホワイトバランスのモードセットを行なうＷＢモードセットボタン３３、後述するメインダイヤルの操作と組合わせて各種撮影条件の設定を行なうサブダイヤル３４、シャッターレリーズのためのレリーズボタン３５、撮影する画質モードを設定するための画質モード設定ボタン３６、及び上記内蔵フラッシュ１３の発光パターン及び光量を切替え設定するためのフラッシュ切替えボタン３７が設けられる。
【００１８】
加えてカメラ本体１の背面には、光学ファインダ３８、上記液晶モニタロック解除ボタン２３を操作することで可動できる液晶モニタ３９、セルフタイマ撮影時に使用するアイピースシャッタレバー４０、上記サブダイヤル３４の操作とも組合わせて各種撮影条件の設定を行なうメインダイヤル４１、上記液晶モニタ３９のオン／オフを設定する液晶モニタＯＮ／ＯＦＦボタン４２、メニュー項目を液晶モニタ３９に表示させるためのメニューボタン４３、液晶モニタ３９で表示された項目を選択するための十字ボタン４４、選択された項目を選定するためのＯＫボタン４５、後述するカード蓋の不用意な開閉を制限するためのカード蓋ロックレバー４６、自動露出状態を一時的にロックするためのＡＥＬボタン４７、記録媒体であるメモリカードの収納部を被覆するカード蓋４８、メモリカードの装着状態をインジケータ表示するカードＬＥＤ４９、ヒストグラムの表示／非表示を設定するＩＮＦＯボタン５０、撮影した画像をプロテクト状態に設定するプロテクトボタン５１、及び液晶モニタ３９で表示している画像を１コマ単位で消去するための１コマ消去ボタン５２が設けられる。
【００１９】
上記光学ファインダ３８は、その胴周面部に視度調整リング５３を設けることで、眼鏡使用者にも正確なピント合わせ等ができるようにしている。
【００２０】
しかしてカメラ本体１の前面には、上記ズームレンズ２の他に、ストラップ吊環２２にここでは図示しないワイヤレスリモートコントローラからの赤外線信号を受信する一方、セルフタイマ使用時に点滅するリモコン受光窓／セルフＬＥＤ５４と、白い紙などを被写体とした状態で１回の操作によりホワイトバランスをとらせるためのＷＢ（ワンプッシュオート）入力ボタン５５とが設けられる。
【００２１】
次いで、図３により上記カメラ本体１内の電子回路の構成について説明する。
【００２２】
同図で、撮影モード時に撮像レンズ６１を介して入射された被写体の光像は撮像素子６２の撮像面上に結像する。
【００２３】
この撮像素子６２は、例えば原色系（ＲＧＢ）のカラーフィルタを有するＣＣＤで構成され、後述するシステムコントローラ６３に駆動制御されるもので、光電変換によって得た画像データはデジタルプロセス回路６４に出力される。
【００２４】
デジタルプロセス回路６４は、撮像素子６２から得た画像データをフレームメモリ６５に展開記憶させる。このフレームメモリ６５は、システムコントローラ６３からの制御に基づいてメモリコントローラ７７が各種動作を制御するもので、フレームメモリ６５に記憶された画像データに対してホワイトバランス調整、階調変換、色変換（原色系画像データから輝度色差系画像データへの変換）、シャープネス調整、等の画像処理を施した後にリサイズした主画像とサムネイル画像の各画像データを生成する。
【００２５】
このうち、主画像の画像データは、フレームメモリ６５から圧縮伸長回路６６へ読出され、この圧縮伸長回路６６にて予めこのデジタルカメラで選択設定されているデータ圧縮方式に従って圧縮され、それからシステムコントローラ６３からの信号にしたがって出力を切換選択するセレクタ６７を介して第１のカードインターフェース６８または第２のカードインターフェース６９へ送出される。
【００２６】
また、サムネイル画像の画像データは、上記液晶モニタ３９でモニタ表示される他、フレームメモリ６５から圧縮伸長回路６６へ読出され、所定の圧縮率をもってＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）方式で圧縮され、それからやはりセレクタ６７を介して第１のカードインターフェース６８または第２のカードインターフェース６９へ送出される。
【００２７】
ここで、上記主画像の画像データを特にＪＰＥＧ方式で圧縮するべく選択設定がなされている場合に限っては、主画像とサムネイルの両画像データが１つにまとめられ、１つの画像データファイルとして第１のカードインターフェース６８または第２のカードインターフェース６９へ送出される。
【００２８】
しかして、第１のカードインターフェース６８は、セレクタ６７を介して受けた画像データを第１のスロット７０に装着されている第１のメモリカード７１のファイルフォーマットに従って適宜変換した上で該第１のメモリカード７１に書込む。
【００２９】
なお、この第１のスロット７０における第１のメモリカード７１の装着の有無は第１のスロット７０に設けられた、例えばマイクロスイッチで構成されるスロット装着検出手段７２により検出され、その検出信号は上記システムコントローラ６３へ送られる。
【００３０】
同様にして、第２のカードインターフェース６９は、セレクタ６７を介して受けた画像データを第２のスロット７３に装着されている第２のメモリカード７４のファイルフォーマットに従って適宜変換した上で該第２のメモリカード７４に書込む。
【００３１】
なお、この第２のスロット７３における第２のメモリカード７４の装着の有無は第２のスロット７３に設けられた、例えばマイクロスイッチで構成されるスロット装着検出手段７５により検出され、その検出信号は上記システムコントローラ６３へ送られる。
【００３２】
第１のメモリカード７１及び第２のメモリカード７４は、それぞれ異なる規格に従ったフラッシュメモリを封入したものであり、ここでは上記カード蓋４８内の収納部に収納されるものとして、上述した如く第１のメモリカード２１をスマートメディア、第２のメモリカード２４をコンパクトフラッシュであるものとする。
【００３３】
システムコントローラ６３は、ＥＥＰＲＯＭ７８に固定記憶されている動作プログラムにしたがってこのデジタルカメラ全体の動作制御を行なうもので、上記図１及び図２で示した各種のボタン及びダイヤルの操作に応じた信号を直接入力する。
【００３４】
またシステムコントローラ６３は、その時点での日付と時刻とを計時するカレンダ回路７９及び上記光学ファインダ３８内で動作状況を表示するためのファインダ内ＬＣＤ８０とも接続され、これらの動作を制御する。
【００３５】
次に上記実施の形態の動作について説明する。
【００３６】
図４は再生モード時にヒストグラムを表示していない状態で、液晶モニタ３９に選択した画像と共に表示される画像情報の内容を例示する。
【００３７】
図中、画面左上端にカード表示８１と電池残量マーク８２とが表示されており、「ＳＭ」はその時点で表示している画像が第１のメモリカード７１であるスマートメディアから読出されたものであることを示す。電池残量マーク８２はこの状態では満充電状態であることを示している。
【００３８】
画面の右上端側では、プロテクトマーク８３、プリント予約マーク８４、コピー予約マーク８５、画質モード情報８６、撮影情報８７、ＷＢ設定情報８８、ＩＳＯ情報８９、及びフラッシュ露出補正情報９０を表示している。
【００３９】
上記プロテクトマーク８３は、その画像にプロテクトがかけられている場合に表示する。
【００４０】
プリント予約マーク８４は、プリンタを模したプリント予約マークと「×予約枚数（例えば「１」）」とでプリントの予約を行なっている枚数を表示する。
【００４１】
コピー予約マーク８５は、その画像のコピーが予約されていることを示す。
【００４２】
画質モード情報８６は、その画像が例えば（横）２２４０画素×（縦）１６８０画素で圧縮率が「１／１」であることを示す。
【００４３】
ＷＢ設定情報８８は、ここではホワイトバランス（ＷＢ）が自動（ＡＵＴＯ）に設定されていることを示すが、マニュアル設定された場合にはその色温度を光源のシンボルマークと共に表示し、また上記ＷＢ（ワンプッシュ）入力ボタン５５が操作されていた場合にはその内容を専用のシンボルマークで示す。
【００４４】
ＩＳＯ情報８９は、撮影時の撮像素子６２の感度設定を例えば「ＩＳＯ  ２００」のように表示する。
【００４５】
フラッシュ露出補正情報９０は、ここではその画像が内蔵フラッシュ１３を発光させて撮影されたものであり、且つ「０．７（ＥＶ）」分だけ減光されていたことを示す。
【００４６】
加えて画面の左下端側では、フォルダ／ファイル名情報９１、ＤＣＦファイル情報９２、及び日付時刻９３を表示している。
【００４７】
フォルダ／ファイル名情報９１は、例えばＤＣＦ（Ｄｅｓｉｇｎ  ｒｕｌｅ  ｆｏｒ  Ｆｉｌｅ  ｓｙｓｔｅｍ）規格に則った数字３文字＋５文字のフォルダ名と、４文字＋４桁の数字にそのファイルの識別子を付加して示す。
【００４８】
ＤＣＦファイル情報９２は、上記ＤＣＦ規格に基づいて自動的に付加されたファイル情報である。
【００４９】
日付時刻９３は、その画像の撮影時の日付と時刻とを示す。
【００５０】
また、画面の右下端部では、選択しているメモリカード中でのその画像のシリアル番号を示すコマ番号９４を表示している。
【００５１】
続いて図５により主として上記システムコントローラ６３がボタン、ダイヤルの操作入力に対応して制御する、特に再生モード時の画像情報の遷移状態について説明する。
【００５２】
ここでは、１コマ再生モード中のヒストグラム非表示モードで表示する画像情報の量を複数階層、例えば３階層に設定するものとする。
【００５３】
電源レバー３１の操作による電源投入後、モード選択ダイヤル３０で再生モードが選択されるか、あるいは撮影モードから液晶モニタＯＮ／ＯＦＦボタン４２が２回連続して操作されると再生モードとなり、その時点でヒストグラムを表示するモードがすでにカスタムメニューで選択されているか否かを判断する。
【００５４】
ここで、ヒストグラム非表示モードとなっている場合、図中に図５（ａ）〜図５（ｃ）で示す如く、上記図４で示した多数の画素表示を階層的に表示している。
【００５５】
すなわち、図５（ａ）で示す第１階層では、選択した画像に対してその画像情報としてカード表示８１、電池残量マーク８２、及びコマ番号９４のみを表示し、図５（ｂ）に示す第２階層ではこれらに加えてプリント予約マーク８４、コピー予約マーク８５、及び日付時刻９３を表示している。
【００５６】
そして、図５（ｃ）に示す第３階層では、さらに上記に加えて、撮影情報８７、ＷＢ設定情報８８、ＩＳＯ情報８９、フラッシュ露出補正情報９０、フォルダ／ファイル名情報９１、及びＤＣＦファイル情報９２を表示することで、上記図４に示した如くすべての画像情報を表示することになる。
【００５７】
これら階層の変更は図示する如くメインダイヤル４１またはサブダイヤル３４を正逆回動操作することにより手軽に行なうことができるものとなる。
【００５８】
一方、再生モード時でヒストグラム表示モードが予め設定されている場合には、まず図５（ｄ）で示す如く、上記図５（ａ）で示したヒストグラム非表示モードの第１階層と同様に、、選択した画像に対してその画像情報としてカード表示８１、電池残量マーク８２、及びコマ番号９４を表示するとともに、その画像のヒストグラム９５を表示する。
【００５９】
すなわち、この図５（ｄ）に示すヒストグラム表示モードでヒストグラム９５を表示している状態は、上記図５（ａ）で示したヒストグラム非表示モードの最も画像情報の量が少ない第１階層と比して、ヒストグラム９５が表示されている点のみ相違するもので、上述したカスタムメニューでの変更設定に限らず、図示するように液晶モニタ３９下部の上記ＩＮＦＯボタン５０を操作する毎に、ヒストグラム９５の表示状態と非表示状態とを容易に切換設定できるものとする。
【００６０】
しかるに、上記図５（ｄ）に示したヒストグラム９５の表示状態からメインダイヤル４１またはサブダイヤル３４を「ＣＷ」方向（手指を遠ざける方向）へ操作すると、図５（ｅ）に示すようにその時点で選択しているメモリカードに記録されている複数の画像によりインデックス表示状態となるものとする。
【００６１】
このとき、カード表示８１に加えて各画像如くコマ番号９４が表示され、また選択している画像のみが他の画像と区別するように所定の色付けの枠で表示されるもので、十字ボタン４４を任意に操作することにより、選択している画像を上下左右に移動させ、あるいは表示されている画像範囲をスクロールさせることができる。
【００６２】
しかして、任意の画像を選択している状態でメインダイヤル４１またはサブダイヤル３４を「ＣＣＷ」方向（手指を近付ける方向）へ操作すると、その選択した画像に基づいて再び上記図５（ｄ）に示したヒストグラム９５を表示する状態に移行するものとする。
【００６３】
また、上記図５（ｄ）に示したヒストグラム９５の表示状態からメインダイヤル４１またはサブダイヤル３４を「ＣＣＷ」方向（手指を近付ける方向）へ操作すると、図５（ｆ）に示すようにヒストグラム９５を表示したまま、その時点で選択している画像をその中心位置を基準として順次拡大表示するものとする。
【００６４】
このとき、画面の上下左右各各辺の中央では図示する如く外側に向いた３角形を表示することにより、画像を拡大表示していることを表わすものとする。
【００６５】
また、このような拡大表示状態からメインダイヤル４１またはサブダイヤル３４を「ＣＷ」方向（手指を遠ざける方向）へ操作すると、上記とは反対に、次第にヒストグラム９５を表示したまま、その時点で選択している画像をその中心位置を基準として拡大率を縮小して表示するものとする。
【００６６】
しかして、画像が元の大きさとなった時点でメインダイヤル４１またはサブダイヤル３４による「ＣＷ」方向（手指を遠ざける方向）への操作を無効とし、上記図５（ｄ）に示した表示状態に戻る。
【００６７】
このように、再生モード時にあっては使用者が必要に応じてヒストグラム９５を例えばＩＮＦＯボタン５０のような簡単な操作により任意に表示させることができるものとしたため、気軽にヒストグラム９５の内容を確認することができる一方、液晶モニタ３９の画面で占有する面積が大きいヒストグラム９５が不要であれば、即座にヒストグラム９５を表示しないように切換えることもできる。
【００６８】
なお、上記実施の形態では３階層中の最も画像情報の量が少ない階層でＩＮＦＯボタン５０を操作することにより、ヒストグラムを画像上に合わせて表示させるものとしたが、さらにもう１階層、まったく画像情報を表示しない階層を設定し、その階層での表示状態から特定の操作を行なうことによりヒストグラムを表示させるものとしても良い。
【００６９】
このように、特に他の画像情報の数が最も少ないか、またはまったくない階層の表示中にヒストグラムの表示を行なうか否かを切換変更することを可能としたため、ヒストグラムが他の画像情報の中で見づらいものとなってしまうことがなく、より明確にその内容を把握することができる。
【００７０】
その他、本発明は上記実施の形態に限らず、その要旨を逸脱しない範囲内で種々変形して実施することが可能であるものとする。
【００７１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７２】
【発明の効果】
本発明によれば、使用者が必要に応じてヒストグラムを任意に表示させるか否か変更することができる。
【図面の簡単な説明】
【図１】本発明の実施の一形態に係るデジタルスチルカメラの外観構成を示す上面図と側面図。
【図２】同実施の形態に係るデジタルスチルカメラの外観構成を示す背面図と正面図。
【図３】同実施の形態に係る電子回路の構成を示すブロック図。
【図４】同実施の形態に係る液晶モニタでの表示内容を例示する図。
【図５】同実施の形態に係る液晶モニタ画面での画像情報の表示遷移状態を示す図。
【符号の説明】
１…カメラ本体
２…ズームレンズ
１３…内蔵フラッシュ
１５…「＋／−」ボタン
２３…液晶モニタロック解除ボタン
２７…ガイドパネル
２８…ＳＭ／ＣＦボタン
２９…バックライトボタン
３０…モード選択ダイヤル
３１…電源レバー
３３…ＷＢモードセットボタン
３４…サブダイヤル
３５…レリーズボタン
３６…画質モード設定ボタン
３７…フラッシュ切替えボタン
３８…光学ファインダ
３９…液晶モニタ
４１…メインダイヤル
４２…液晶モニタＯＮ／ＯＦＦボタン
４３…メニューボタン
４４…十字ボタン
４５…ＯＫボタン
４９…カードＬＥＤ
５０…ＩＮＦＯボタン
５１…プロテクトボタン
５２…１コマ消去ボタン
５５…ＷＢ（ワンプッシュオート）入力ボタン
６１…撮像レンズ
６２…撮像素子
６３…システムコントローラ
６４…デジタルプロセス回路
６５…フレームメモリ
６６…圧縮伸長回路
６７…セレクタ
６８…第１のカードインターフェース
６９…第２のカードインターフェース
７０…第１のスロット
７１…第１のメモリカード
７２…スロット装着検出手段
７３…第２のスロット
７４…第２のメモリカード
７５…スロット装着検出手段
７７…メモリコントローラ
７８…ＥＥＰＲＯＭ
７９…カレンダ回路
８０…ファインダ内ＬＣＤ
８１…カード表示
８２…電池残量マーク
８３…プロテクトマーク
８４…プリント予約マーク
８５…コピー予約マーク
８６…画質モード情報
８７…撮影情報
８８…ＷＢ設定情報
８９…ＩＳＯ情報
９０…フラッシュ露出補正情報
９１…フォルダ／ファイル名情報
９２…ＤＣＦファイル情報
９３…日付時刻
９４…コマ番号
９５…ヒストグラム
【図１】
0004460744.tif 000002
【図２】
0004460744.tif 000003
【図３】
0004460744.tif 000004
【図４】
0004460744.tif 000005
【図５】
0004460744.tif 000006